(57)【要約】本発明は、一般に、切り花の実用的な寿命を延ばすための装置に関する。特に、本発明は、以下の構成を備えた装置を提供する。すなわち、切り花が挿される水桶の底部を通る電流の供給によるペルチェ効果に基づき、水桶の上側面には冷熱を発生させ、水桶の下側面には温熱を発生させ、その結果、細菌およびカビの発生を抑制することにより切り花の水管が詰まるのを防ぐと共に、切り花の水分吸収率および呼吸率を高め長期間みずみずしい状態を維持できる、電子冷却モジュールと、水桶の内部に積層されるセラミック層であって、切り花よる植物ホルモン（たとえばエチレン）の生成を当該セラミック層から放出される遠赤外線で抑制することにより、切り花の老化が促進するのを防ぐセラミック層とを、この装置は備える。【選択図】図１
2004500927.tif 000002
【特許請求の範囲】
【請求項１】
切り花が挿される水桶と、
前記水桶の底部に装着され、前記水桶の底部を通る電流の供給によるペルチェ効果に基づき、前記水桶の上側面には冷熱を発生させ、前記水桶の下側面には温熱を発生させる電子冷却モジュールと、
下側部が前記電子冷却モジュールと接続しており、上側部は、前記冷熱を前記水桶に伝達するため、前記水桶の雄ネジ部内に雌ネジ部を配することにより、前記水桶の前記底部と接続している熱伝達板と、
前記熱伝達板および前記電子冷却モジュールの外側部を結合する絶縁体と、
上側部が複数のネジにより前記絶縁体に固定されており、内部には複数の放熱フィンが形成されている放熱体と、
前記放熱体から放熱される熱をより迅速に大気中に排出するための前記放熱体に装着される排出ファンと、
を備えていることを特徴とする切り花の寿命を延長させる装置。
【請求項２】
前記切り花の植物ホルモンの生成を遠赤外線で抑制するために前記水桶の内部に積層されるセラミック層を更に備えたことを特徴とする請求項１に記載の切り花の寿命を延長させる装置。
【請求項３】
前記放熱体から放熱される熱を冷却すると共に、前記熱により水を蒸発させ水分を切り花に供給するためのスチーム水桶を前記放熱体の両側面に更に備えたことを特徴とする請求項１または２に記載の切り花の寿命を延長させる装置。
【請求項４】
前記前記水桶の外周部に結合する底のない花瓶を更に備えたことを特徴とする請求項１または２に記載の切り花の寿命を延長させる装置。
【発明の詳細な説明】
【０００１】
【発明の背景】
本発明は、切り花の寿命を延長させる装置に係り、特に、切り花が挿される水桶の底部への電流供給によるペルチェ効果（Ｐｅｌｔｉｅｒ　Ｅｆｆｅｃｔ）により、その上側面には冷熱（ｃｏｏｌｉｎｇ　ｈｅａｔ）が発生し、その下側面には温熱（ｗａｒｍｉｎｇ　ｈｅａｔ）が発生する電子冷却モジュールを備え、細菌およびカビ等の微生物の発生を抑制することにより切り花の水管が詰まるのを防ぐと共に、切り花の水分吸収率および呼吸率を高め長期間みずみずしい状態を維持できる、切り花の寿命を延長させる装置に関する。
【０００２】
一般に、都会に居住する人ほど自然と共に生きようとする傾向があり、このような欲求を満たすための最も容易な方法としては、花瓶に花を挿しておくことである。これにより室内装飾の効果を得ると共に、生活の質の向上、および文化生活の実現か可能になると共に心的にも安定するようになる。前記花の茎を切り取って生け花の形態で花瓶に挿すことを切り花といい、花を根がついたまま植えることを植木鉢という。しかし、前記花は他の作物に比べてすぐ萎れてしまうため、長期間鑑賞することはできないという問題点がある。
【０００３】
前記花がすぐ萎れてしまう第一の理由は、花瓶の水温が上昇するところにある。すなわち、花瓶の水温は室温である約２５℃を維持されるため、水中の細菌の個体数は大いに増大する。
【０００４】
前記の細菌が増えると、切り花の茎の水管が詰まって水分吸収率を抑制すると共に、切り花の呼吸率を減少させ、炭水化物の分解を抑制するので、切り花は容易に萎れてしまう。
【０００５】
前記花が萎れてしまう第二の理由は、植物ホルモンによるものである。すなわち、前記切り花にはエチレンという植物ホルモンが生成されるので、該植物ホルモンの生成により切り花は容易に萎れてしまう。
【０００６】
従来には、前記のような花の萎れるのを防ぐために添加剤を使用していた。すなわち、前記の添加剤を花瓶の水に加えると、約２倍、切り花の寿命を延長できるようになる。しかし、前記の添加剤は、人体に有害な物質で製造された薬品であるため、花瓶の水を交換するときは皮膚に触れないように注意する必要がある。また、前記花瓶の水の交換は、添加物によって水質を悪化させるという水質汚染をも生じてしまう。尚、前記花瓶に添加剤を加えるためには、花屋にまで行って前記添加剤を購入しなければならないので、購入上の不便さも内在していた。
【０００７】
切り花の命を延ばすための既知の方法の問題点を解決補完するための本発明の目的は、切り花の命を延ばすための装置を提供することである。この装置は、切り花が吸収する水の水温を約４℃の低温に維持すると共に、切り花から生成される植物ホルモン（エチレン）の生成を抑制することにより、切り花の老化促進を防止できるようにすることである。
【０００８】
さらに、本発明の他の目的は、添加剤によらない環境によい装置を提供することである。
【０００９】
この目的は、以下の構成を備える装置によって達成される。この装置は、切り花が挿される水桶の底部への電流供給によるペルチェ効果により、その上側面には冷熱が発生しその下側面には温熱が発生する電子冷却モジュールと、前記切り花から生成される植物ホルモンの生成を遠赤外線により抑制し、水桶の内面に積層されたセラミック層と、を備える。
【００１０】
上記の目的を達成する装置は、発明の詳細な説明によって明らかにされる。
【００１１】
【発明の概要】
本発明は、以下の構成を備えた装置を提供する。この装置は、切り花が挿される水桶と、水桶の底部に装着され、水桶の底部を通る電流の供給によるペルチェ効果に基づき、水桶の上側面には冷熱を発生させ、水桶の下側面には温熱を発生させる電子冷却モジュールと、下側部が電子冷却モジュールと接続しており、上側部は、冷熱を水桶に伝達するため、水桶の雄ネジ部内に雌ネジ部を配することにより、水桶の底部と接続している熱伝達板と、熱伝達板および電子冷却モジュールの外側部を結合する絶縁体と、上側部が複数のネジにより絶縁体に固定されており、内部には複数の放熱フィンが形成されている放熱体と、放熱体から放熱される熱をより迅速に大気中に排出するための放熱体に装着される排出ファンと、を備える。
【００１２】
本発明は、また、切り花の植物ホルモンの生成を遠赤外線で抑制するために水桶の内部に積層されるセラミック層を更に備える装置を提供する。
【００１３】
本発明は、また、放熱体から放熱される熱を冷却すると共に、熱により水を蒸発させ水分を切り花に供給するためのスチーム水桶を放熱体の両側面に更に備える装置を提供する。
【００１４】
本発明は、また、水桶の外周部に結合する底のない花瓶を更に備える装置を提供する。
【００１５】
発明の詳細な説明
本発明によれば、以下の装置を用いることによって、新鮮な切り花の生存力を伸ばすことができる。その装置は、電子冷却モジュールと、花が挿される水桶に薄層状に設けられるセラミック層と、を備える。これにより、切り花のみずみずしい外観は驚異的に延長され、多くの場合、通常の、その装置を用いない花に対して、２倍から３倍に達する。
【００１６】
本発明の構成を図１および図２を参照して詳細に説明する。
【００１７】
この発明は以下の構成を備える。切り花（ｃｕｔ　ｆｌｏｗｅｒ）が挿される水桶１３１と、前記水桶１３１の底部に装着され、前記水桶１３１の底部を通る電流の供給によるペルチェ効果（Ｐｅｌｔｉｅｒ　Ｅｆｆｅｃｔ）に基づき、前記水桶の上側面には冷熱（ｃｏｏｌｉｎｇ　ｈｅａｔ）を発生させ、前記水桶の下側面には温熱（ｗａｒｍｉｎｇ　ｈｅａｔ）を発生させ、その結果、細菌およびカビ等の微生物の発生を抑制することにより切り花の水管が詰まるのを防ぐと共に、切り花の水分吸収率および呼吸率を高め長期間みずみずしい状態を維持できる、電子冷却モジュール１１１と、
モジュール１１１によって生成された冷熱を前記水桶１３１に伝達するため、下側部が前記電子冷却モジュール１１１と接続しており、上側部は、前記水桶１３１の雄ネジ部内に雌ネジ部を配することにより、前記水桶１３１の前記底部と接続している熱伝達板１２１と、
前記熱伝達板１２１と電子冷却モジュール１１１とを支持すると共に、電子冷却モジュール１１１の上・下側部から発生する冷熱および温熱の相互伝導を防ぎ、花瓶１５１が安定した状態で安着できるようにするために、熱伝達板１２１と電子冷却モジュール１１１との外側部を結合する絶縁体１１２と、
上側部は多数のネジで前記絶縁体１１２に固定されていと共に、その内部には、電子冷却モジュール１１１の下側面から発生する温熱を大気中に放熱させるための多数の放熱フィン１０２が形成されている放熱体１０１と、
前記放熱体１０１から放熱される熱をより迅速に大気中に排出するために、放熱体１０１の一側に装着される排出ファン１４１と、を備えた構成である。
【００１８】
そして、この発明の装置は、切り花より生成されるエチレンなどの植物ホルモンにより老化が促進するのを防ぐため、かかる植物ホルモンの生成を遠赤外線で抑制するように、水桶１３１の内部に積層されるセラミック層１３３を更に備える。
【００１９】
また、この発明の装置は、前記放熱体１０１によって放熱される熱を冷却すると共に、この放熱された熱で水を蒸発させ水分を切り花に供給することにより、切り花のみずみずしさを視覚的に感じられるようにするために、放熱体１０１に両側面に更に、スチーム水桶１０３を備える。
【００２０】
そして、この発明の装置は、切り花を花瓶１５１に挿されているように見せるために、水桶１３１の外周部に結合する底のない花瓶１５１を更に備える。
【００２１】
本発明にしたがった装置の作用を説明すると次の通りである。
【００２２】
まず、水桶１３１の内部と、放熱体１０１の両側に装着されたスチーム水桶１０３の内部とに適正水位になるように水を入れる。次に、前記水桶１３１の外側部には底のない花瓶１５１を結合し、前記花瓶１５１が絶縁体１１２に結合するようにする。
【００２３】
また、前記水桶１３１には種々の切り花を挿しておく。
【００２４】
上記のような状態で、電力を電子冷却モジュール１１１と排出ファンとに印加させる。前記の電源を供給された電子冷却モジュール１１１は、ペルチェ効果に基づき、その上側面には冷熱が発生し、その下側面には温熱が発生するようになる。
【００２５】
そして、前記電子冷却モジュール１１１の上側面から発生する冷熱は電子冷却モジュール１１１の上側面と接触した熱伝達板１２１を通じて水桶１３１の底面に迅速に伝達されるようになる。
【００２６】
したがって、前記電子冷却モジュール１１１の冷熱を伝達された水桶１３１の中の水温が約４℃の低温に維持される。約４℃の低温に維持されることにより、微生物の発生が抑制されるようになる。このことにより、切り花の水管が詰まるのを防止できるので、切り花の水分吸収率および呼吸率を高め、長期間にかけて切り花のみずみずしい状態を保持できる。
【００２７】
一方、前記モジュール１１１から発生する温熱は電子冷却モジュール１１１の下側部と接触している放熱体１０１を通じて大気中に放熱されるようになる。すなわち、前記放熱体１０１の内部には多数の放熱フィン１０２が形成され、前記各放熱フィン１０２は大気と数多く接触しているので、温熱を大気中に素早く放熱できるようになる。しかしながら、前記放熱体１０１および放熱フィン１０２による自発的な放熱作用は、電子冷却モジュール１１１が長時間持続的に温熱を放熱するため、限界がある。
【００２８】
そこで、本発明の装置では、放熱体１０１に排出ファン１４１を装着し、前記駆動ファン１４１の駆動により放熱体１０１および放熱フィン１０２から放熱される温熱を大気中に排出できるようにした。
【００２９】
また、前記電子冷却モジュール１１１と熱伝達板１２１との外側部を固定している絶縁体１１２は、板１２１とモジュール１１１とを支持し、電子冷却モジュール１１１の上・下側から発生する冷熱および温熱の相互伝導を防ぎ、底のない花瓶１５１が安定した状態で安着するようにする機能を有する。
【００３０】
一方、切り花から生成される植物ホルモンの生成を、水桶１３１の内面に積層されるセラミック層１３３から放射される遠赤外線により抑制することにより、切り花の老化が促進されるのを防止でき、長期間にかけて綺麗な切り花を鑑賞できるようになる。
【００３１】
そして、前記水桶１３１の内面にセラミック層１３３を積層する代わりに、セラミック材質で成型されたビーズ（ｂｅａｄｓ）、ディスク（ｄｉｓｋ）、パイプ（ｐｉｐｅ）などを水桶１３１の内部に沈降させても本発明の目的を達成することができる。
【００３２】
特に、本発明の水桶１３１は熱伝達板１２１から分離可能であるので、前記水桶１３１を回転させれば水桶１３１の底部に形成した雄ネジ部１３２が熱伝達板１２１の雌ネジ部１２２から分離されるので、水桶１３１の水を簡便に交換でき、水桶１３１の内部の掃除も可能となる。
【００３３】
また、前記水桶１３１の外側部に底のない花瓶１５１を結合させておくことで、前記水桶１３１に挿されている切り花が花瓶１５１に挿されているように見える。したがって、室内雰囲気および室内環境、そして切り花との調和およびユーザの嗜好にしたがって、様々な種類の底のない花瓶１５１を使用すれば、花を伴った適切な装飾品とすることができる。また、前記花瓶１５１の代わりに、底のない水鉢（ｆｌｏｗｅｒ　ｂａｓｉｎ）を載せて使用しても良い。
【００３４】
そして、前記放熱体１０１の両側面に設けられているスチーム水桶１０３には放熱体１０１からの熱が伝達され、該スチーム水桶１０３内の水が蒸発されることになる。したがって、前記水の蒸発により放熱体１０１の両側面に放熱される熱が迅速に冷却されると共に、前記熱により蒸発する水蒸気が切り花に供給され、宿るので、切り花のみずみずしさを視覚的に感じられるようになる。
【００３５】
以上で説明した特定の実施形態は、発明の最良の形態および発明の原理を例示するものであり、装置に対しては、本発明の精神および範囲からはずれない限り、この分野の当業者による様々な変形および付加が可能であること、が理解されるべきである。そして、その結果、本発明の精神および範囲は、添附した特許請求の範囲によってのみ限定されるべきであることが理解されるべきである。
【図面の簡単な説明】
【図１】本発明の切り花の寿命を延長させる装置の構成を示す正断面図である。
【図２】本発明の切り花の寿命を延長させる装置の構成を示す側断面図である。
【符号の説明】
１０１…　放熱体
１０２…　放熱フィン
１０３…　スチーム水桶
１１１…　電子冷却モジュール
１１２…　絶縁体
１２１…　熱伝達板
１２２…　雌ネジ部
１３１…　水桶
１３２…　雄ネジ部
１３３…　セラミック層
１４１…　排出ファン
１５１…　底のない花瓶
【図１】
2004500927.tif 000003
【図２】
2004500927.tif 000004
【国際公開パンフレット】
2004500927.tif 000005
2004500927.tif 000006
2004500927.tif 000007
2004500927.tif 000008
2004500927.tif 000009
2004500927.tif 000010
2004500927.tif 000011
2004500927.tif 000012
2004500927.tif 000013
2004500927.tif 000014
2004500927.tif 000015
【手続補正書】
【提出日】平成14年1月9日(2002.1.9)
【手続補正１】
【補正対象書類名】明細書
【補正対象項目名】特許請求の範囲
【補正方法】変更
【補正の内容】
【特許請求の範囲】
【請求項１】
切り花を保持するための水桶と、
前記水桶の底部に装着され、前記水桶の底部を通る電流の供給によるペルチェ効果に基づき、前記水桶の上側面には冷熱が発生し、前記水桶の下側面には温熱が発生する電子冷却モジュールと、
下側部が前記電子冷却モジュールと接続しており、上側部は、前記冷熱を前記水桶内の水に伝達するため、ネジ締結により、前記水桶の底部と接続している熱伝達板と、
前記熱伝達板および電子冷却モジュールの外側部に結合される絶縁体と、
上側部が複数のネジにより絶縁体に固定されており、内部には複数の放熱フィンが形成されている放熱体と、
前記放熱体から放熱される熱をより迅速に大気中に排出するための前記放熱体に装着される排出ファンと、
前記放熱体から放熱される熱を迅速に排出すると共に前記放熱された熱により水を蒸発させ前記切り花に水分を供給するための、前記放熱体の両面に備えられているスチーム水桶と、
前記水桶の外周面に配されオープンされた底部を備える花瓶と、
を備えていることを特徴とする切り花の寿命を延長させる装置。
【請求項２】
前記切り花の植物ホルモンの生成を遠赤外線により抑制するように、前記水桶の内面にセラミック層を更に備えていることを特徴とする請求項１に記載の切り花の寿命を延長させる装置。
【国際調査報告】
2004500927.tif 000016
2004500927.tif 000017